(57)【特許請求の範囲】
【請求項１】
超音波を送受信し、流体の流路中に前記超音波の伝播経路を形成するように配置される第１および第２の超音波振動子と、
前記第１および第２の超音波振動子の一方を駆動する送信部と、
前記送信部に接続され、前記送信部の出力インピーダンスを調整する第１の整合部と、
前記調整された出力インピーダンスとほぼ等しい、または、前記調整された出力インピーダンスよりも小さい入力インピーダンスを有し、前記第１および第２の超音波振動子の他方に到達した超音波を受信する受信部と、
前記第１または第２の超音波振動子と前記送信部とのインピーダンスの不整合により生じる反射波を検知するための反射波検知部と、
を備え、前記伝播経路間を伝播する超音波の双方向の伝播時間差を検出することにより流体の流量を計測する超音波流量計。
【請求項２】
前記反射波検知部に反射波を選択的に導くための方向性結合器を更に有する請求項１に記載の超音波流量計。
【請求項３】
前記反射波検知部で検知した反射波に基づいて、前記第１の整合部を制御する制御部を更に有する請求項１に記載の超音波流量計。
【請求項４】
超音波を送受信し、流体の流路中に前記超音波の伝播経路を形成するように配置される第１および第２の超音波振動子と、
前記第１および第２の超音波振動子の一方を駆動する送信部と、
前記第１の超音波振動子に接続され、前記送信部の出力インピーダンスを調整する第１の整合部と、
前記調整された出力インピーダンスとほぼ等しい、または、前記調整された出力インピーダンスよりも小さい入力インピーダンスを有し、前記第１および第２の超音波振動子の他方に到達した超音波を受信する受信部と、
前記第２の超音波振動子に接続され、前記送信部の出力インピーダンスを調整する第２の整合部と、
前記送信部と前記第１の整合部および前記第２の整合部のいずれかとを選択的に接続する第１の切り替え部、ならびに、前記受信部と前記第１および第２の超音波振動子のいずれかとを選択的に接続する第２の切り替え部と、
を備え、前記第１および前記第２の整合部はそれぞれ前記第１または第２の超音波振動子と接続されるとともに、前記伝播経路間を伝播する超音波の双方向の伝播時間差を検出することにより流体の流量を計測する超音波流量計。
【請求項５】
前記出力インピーダンスが、前記第１および第２の超音波振動子の共振周波数におけるインピーダンスと実質的に整合するよう前記第１および第２の整合部を調節する請求項４に記載の超音波流量計。
【請求項６】
ガスが流れる流路に設けられた請求項１または４に記載の超音波流量計と、
前記流路を流れるガスを遮断する遮断弁と、
前記超音波流量計および遮断弁を制御する制御装置と、
を備えたガスメータ。
【発明の詳細な説明】
【技術分野】
【０００１】
本発明は超音波を用いて流体の流量を計測する超音波流量計および流体の流量を計測する方法に関する。また、本発明はガスメータにも関する。
【背景技術】
【０００２】
超音波流量計は、構造が簡単である、機械的可動部分が少ない、流量の計測可能な範囲が広い、流量計による圧力損失がないなどの特徴を備えている。また、近年のエレクトロニクス技術の進歩によって、超音波流量計の計測精度を向上させることも可能になってきた。このため、ガスメータをはじめ、気体や液体の流量の計測が必要なさまざま分野において超音波流量計を用いる研究がなされている。
【０００３】
以下、従来の超音波流量計の構造および計測原理を説明する。図１２は、従来の超音波流量計の一例を示すブロック図である。図１２に示す従来の超音波流量計は、たとえば非特許文献１に開示されている。図１２に示すように、流体が流れる流路１４を挟むように超音波振動子１および２が配置される。超音波振動子１および２は、それぞれ送信器および受信器として機能する。つまり、超音波振動子１を送信器として用いる場合には超音波振動子２を受信器として用い、超音波振動子２を送信器として用いる場合には超音波振動子１を受信器として用いる。図１２に示すように、超音波振動子１および２の間に形成される超音波の伝播路は流体の流れる方向に対して角度θだけ傾いている。
【０００４】
超音波振動子１から超音波振動子２へ超音波を伝播させる場合、超音波は流体の流れに対して順方向に進むため、その速度は速くなる。一方、超音波振動子２から超音波振動子１へ超音波を伝播させる場合、超音波は流体の流れに対して逆方向に進むため、その速度は遅くなる。従って、超音波振動子１から超音波振動子２へ超音波が伝播する時間と超音波振動子２から超音波振動子１へ超音波が伝播する時間との差から、流体の速度を求めることができる。また、流路１４の断面積と流速との積から流量を求めることができる。
【０００５】
上述の原理に従って流体の流量を求める具体的な方法として、シングアラウンド法による計測方法を具体的に説明する。
【０００６】
図１２に示すように、超音波流量計は送信部３および受信部６を備え、超音波振動子１は、切り替え部１０によって送信部３または受信部６の一方と選択的に接続される。この時、超音波振動子２は、超音波振動子１が接続されなかった送信部３または受信部６の他方と接続される。
【０００７】
送信部３と超音波振動子１とが接続される場合、送信部３が超音波振動子１を駆動し、発生した超音波は流体の流れを横切って超音波振動子２に到達する。超音波振動子２によって受信された超音波は、電気信号に変換され、受信信号が受信部６によって増幅される。ゼロクロス検知部７では、受信信号が所定のレベルに達した直後のゼロクロスポイントが検知され、ゼロクロス検知信号が生成される。ゼロクロスポイントとは受信信号の振幅が正から負または負から正へ変化する点をいう。このゼロクロスポイントを超音波振動子２において超音波が到達した時刻としている。ゼロクロス検知信号に基づいて、所定の時間遅らせたタイミングでトリガ信号を生成し送信部３へ入力する。ゼロクロス検知信号の生成からトリガ信号の生成までの時間を遅延時間と呼ぶ。
【０００８】
送信部３はトリガ信号に基づいて超音波振動子１を駆動し、次の超音波を発生させる。このように超音波の送信−受信−増幅・遅延−送信のループの繰り返すことをシングアラウンドと呼び、ループの回数をシングアラウンド回数と呼ぶ。
【０００９】
計時部９では、所定の回数、ループを繰り返すのに要した時間を計測し、計測結果が流量算出部１１へ送られる。次に、切り替え部１０を切り替えて、超音波振動子２を送信器として用い、超音波振動子１を受信器として用いて、同様に計測を行う。
【００１０】
上述の方法によって計測した時間から遅延時間とシングアラウンド回数とを乗じた値を引き、更にシングアラウンド回数で除した値が超音波の伝播時間となる。超音波振動子１を送信側にしたときの伝播時間をｔ１とし、超音波振動子２を送信側にしたときの伝播時間をｔ２とする。
【００１１】
また、図１２に示すように、超音波振動子１と超音波振動子２との間の距離をＬとし、流体の流速および超音波の音速をそれぞれＶおよびＣとする。
【００１２】
この時、ｔ１およびｔ２は以下の式で表される。
【００１３】
【数１】
0003696229.tif 000002
【００１４】
これらの式から流速Ｖは以下の式で表される。
【００１５】
【数２】
0003696229.tif 000003
【００１６】
流体の流速Ｖが求まれば、流路１４の断面積と流速Ｖとの積から流量Ｑが求まる。
【００１７】
【非特許文献１】日本電気計測器工業会規格、ＪＥＭＩＳ  ５０３２「超音波による流量測定法」（社）日本電気計測工業会、１９８７年
【発明の開示】
【発明が解決しようとする課題】
【００１８】
上述の超音波流量計では、超音波振動子１と超音波振動子２との間を伝播する超音波の伝播時間ｔ１およびｔ２をゼロクロス検知により計測している。このため、超音波振動子１から送信した超音波を超音波振動子２で受信したときの波形と超音波振動子２から送信した超音波を超音波振動子１で受信したときの波形とは一致している必要がある。
【００１９】
しかし、実際には超音波振動子１と超音波振動子２との特性の違いから、波形は完全には一致しない。図１３は、流体の流速がゼロであり、超音波振動子１と超音波振動子２との特性が異なる場合において、超音波振動子１から送信した超音波を超音波振動子２で受信したときの波形１８と超音波振動子２から送信した超音波を超音波振動子１で受信したときの波形１９とを示している。受信信号がレベルａを超えた直後のゼロクロスポイントは、波形１８および波形１９ではそれぞれ点１８ａおよび１９ａとなり、これらの点は一致しない。つまり、計測すべき気体や液体が流れていない場合であっても、誤った流量を示してしまう。
【００２０】
また、超音波振動子１は圧電素子で構成されており、圧電素子の特性は一般に温度依存性がある。図１４は、流体の流速がゼロである場合において、上記伝播時間ｔ１とｔ２との差Δｔの温度依存性を示している。図１４において曲線２０ａで示すように、温度に対してほぼ比例してΔｔが変化する場合や、曲線２０ｂあるいは曲線２０ｃで示すように、温度の上昇と共に急激にΔｔが増大したり、減少したりする場合がある。これは、超音波振動子１および超音波振動子２の特性の温度依存性が異なっており、その結果、組み合わせた特性の変化の傾向にも種々のパターンが考えられるからである。
【００２１】
したがって、従来の超音波流量計を用いてガスメータ作製した場合、２つの超音波振動子の特性差により生じる誤差のために、ガスを使っていないのにガスを使用していると計測される可能性がある。また、その特性差の温度依存性のために１日のうちでも気温が低い朝方と気温が上昇した日中とでは、同じガス器具を使用していても使用量が異なって計測されることとなる。
【００２２】
また、単に計測に誤差が生じるだけではなく、ガスメータにガス漏れ検知機能を付加した場合には、その検知機能の信頼性を低下させる可能性もある。
【００２３】
本発明は、このような従来の問題を解決し、精度の高い計測を行うことが可能な超音波流量計を提供することを目的とする。
【課題を解決するための手段】
【００２４】
本発明の超音波流量計は、超音波を送受信し、流体の流路中に前記超音波の伝播経路を形成するように配置される第１および第２の超音波振動子と、前記第１および第２の超音波振動子の一方を駆動する送信部と、前記送信部に接続され、前記送信部の出力インピーダンスを調整する第１の整合部と、前記調整された出力インピーダンスとほぼ等しい、または、前記調整された出力インピーダンスよりも小さい入力インピーダンスを有し、前記第１および第２の超音波振動子の他方に到達した超音波を受信する受信部とを備え、前記伝播経路間を伝播する超音波の双方向の伝播時間差を検出することにより流体の流量を計測する。
【００２５】
ある好ましい実施形態において、前記調整された出力インピーダンスは、前記第１および第２の超音波振動子の一方が共振周波数において有しているインピーダンス値の１／２よりも大きくなっている。
【００２６】
ある好ましい実施形態において、前記調整された出力インピーダンスが、前記第１および第２の超音波振動子の一方のインピーダンス値と実質的に等しくなっている。
【００２７】
ある好ましい実施形態において、前記入力インピーダンスは、４０Ω以下であるより好ましくは２０Ω以下である。
【００２８】
ある好ましい実施形態において、超音波流量計は、前記第１または第２の超音波振動子と前記送信部とのインピーダンスの不整合により生じる反射波を検知するための反射波検知部を更に備える。
【００２９】
ある好ましい実施形態において、超音波流量計は前記反射波検知部に反射波を選択的に導くための方向性結合器を更に備える。
【００３０】
ある好ましい実施形態において、超音波流量計は前記反射波検知部で検知した反射波に基づいて、前記第１の整合部を制御する制御部を更に有する。
【００３１】
ある好ましい実施形態において、超音波流量計は前記第１の整合部と前記第１および第２の超音波振動子のいずれかとを選択的に接続する第１の切り替え部および前記受信部と前記第１および第２の超音波振動子のいずれかとを選択的に接続する第２の切り替え部を更に備える。
【００３２】
ある好ましい実施形態において、前記出力インピーダンスが、前記切り替え部により選択した超音波振動子の共振周波数におけるインピーダンスと実質的に整合するよう前記第１の整合部を調節する。
【００３３】
ある好ましい実施形態において、前記送信部出力インピーダンスを調整する第２の整合部、前記送信部と前記第１の整合部および前記第２の整合部のいずれかとを選択的に接続する第１の切り替え部、ならびに前記受信部と前記第１および第２の超音波振動子のいずれかとを選択的に接続する第２の切り替え部を更に備え、前記第１および前記第２の整合部はそれぞれ前記第１または第２の超音波振動子と接続されている。
【００３４】
ある好ましい実施形態において、前記出力インピーダンスが、前記第１および第２の超音波振動子の共振周波数におけるインピーダンスと実質的に整合するよう前記第１および第２の整合部を調節する。
【００３５】
ある好ましい実施形態において、前記第１および第２の超音波振動子は、厚み振動モードで振動する。
【００３６】
ある好ましい実施形態において、超音波流量計は、前記受信部で増幅された受信信号を検知するための検知部を更に備え、前記検知部において前記受信信号の到達時刻をゼロクロスポイントにより決定する。
【００３７】
ある好ましい実施形態において、超音波流量計は、前記受信部で増幅された受信信号を検知するための検知部を更に備え、前記検知部において前記受信信号に複数のゼロクロスポイントを設定し、前記複数のゼロクロスポイントを用いて流量の補正を行う。
【００３８】
ある好ましい実施形態において、超音波流量計は、前記受信部と前記検知部との間に設けられ、前記受信信号から前記第１および第２の超音波振動子の共振周波数成分のみを抽出するバンドパスフィルタをさらに備える。
【００３９】
また、本発明のガスメータは、ガスが流れる流路に設けられた上記いずれかの超音波流量計と、前記流路を流れるガスを遮断する遮断弁と、前記超音波流量計および遮断弁を制御する制御装置とを備える。
【００４０】
また、本発明の流体の流量を計測する方法は、一対の超音波振動子を送信器および受信器として用いて流体の流路中に超音波の伝播経路を形成し、前記一対の超音波振動子の一方を駆動するための送信部と、前記送信部の出力インピーダンスとほぼ等しいか、または前記送信部の出力インピーダンスより小さい入力インピーダンスを有し、前記一対の超音波振動子の他方に到達した超音波を受信する受信部とを用いて前記伝播経路に沿って双方向に超音波を伝播させて双方向の伝播時間差を検出する。
【００４１】
ある好ましい実施形態において、前記送信部の出力インピーダンスを送信器として用いる前記超音波振動子の共振周波数におけるインピーダンスの少なくとも１／２以上の値となるよう調整し、前記超音波を受信するための受信部の入力インピーダンスを前記送信部の出力インピーダンスの値以下にする。
【００４２】
ある好ましい実施形態において、前記送信部の出力インピーダンスを送信器として用いる前記超音波振動子の共振周波数におけるインピーダンス値と実質的に等しい値になるよう調節する。
【００４３】
ある好ましい実施形態において、前記受信部の入力インピーダンスを４０Ω以下より好ましくは、２０Ω以下にする。
【００４４】
ある好ましい実施形態において、前記一対の超音波振動子と前記送信部とのインピーダンスの不整合により生じる反射波を検知し、前記反射波が小さくなるよう前記送信部の出力インピーダンスを調整する。
【発明の効果】
【００４５】
本発明の超音波流量計によれば、２つの超音波振動子の特性の違いに基づく受信波の差異を小さくすることができ、特性の差異に基づく計測誤差を小さくすることができる。したがって、高い精度で流量を計測することができる。
【発明を実施するための最良の形態】
【００４６】
まず、本発明による超音波流量計の動作原理を説明する。
【００４７】
図１（ａ）に示すように、流体の流路１４に第１の超音波振動子１および第２の超音波振動子２を配置して、流体の流量を計測するものとする。図１（ａ）では、第１の超音波振動子１および第２の超音波振動子２に送信部３および受信部６をそれぞれ接続し、第１の超音波振動子１から送信した超音波を第２の超音波振動子２で受信する場合を考える。図１（ｂ）は、図１（ａ）に示す部分をＦパラメータを用いた四端子回路網によって示している。図１（ｂ）に示すように、第１の超音波振動子１、第２の超音波振動子２および流路１４からなる系を伝送線路１６とする。また、送信部３の出力インピーダンスをＺSとし、受信部６の入力インピーダンスをＺRとする。送信部３の端子ｋ−ｋ’間の無負荷電圧をＶで示す。端子ｋ−ｋ’間に伝送線路１６が接続されている場合において、端子ｋ−ｋ’間の電圧をＶkとし、端子ｋを流れる電圧をＩkとする。また、入力インピーダンスＺRを流れる電流をＩ2とする。
【００４８】
この時、端子ｋ−ｋ’から見た伝送線路１６およびそれに接続された受信部６からなる系のインピーダンスＺkは、Ｆパラメータを用いて以下の式（３）で表される。
【００４９】
【数３】
0003696229.tif 000004
【００５０】
次に図２（ａ）に示すように、送受信の方向を入れ替え、第１の超音波振動子１および第２の超音波振動子２に受信部６および送信部３を接続する場合を考える。第１の超音波振動子１、第２の超音波振動子２および流路１４からなる系を伝送線路１７とする。また、送信部３の出力インピーダンスをＺS’とする。受信部６の入力インピーダンスは変わらない（ＺR）ものとする。また、送信部３の端子ｋ−ｋ’間の無負荷電圧をＶとし、端子ｋ−ｋ’に伝送線路１７が接続されている場合において、端子ｋーｋ’間の電圧をＶk’とし、端子ｋを流れる電圧をＩk’とする。また、入力インピーダンスＺRを流れる電流をＩ2’とする。
【００５１】
この時、端子ｋ−ｋ’から見た伝送線路１７およびそれに接続された受信部６からなる系のインピーダンスＺk’は、以下の式（４）で表される。
【００５２】
【数４】
0003696229.tif 000005
【００５３】
一方、送信部３の端子ｋ−ｋ’間の電圧ＶkおよびＶk’は、Ｖ、ＺSおよびＺS’を用いてそれぞれ式（５）および（６）で示される。
【００５４】
【数５】
0003696229.tif 000006
【００５５】
【数６】
0003696229.tif 000007
【００５６】
式（５）および式（６）に式（３）および（４）をそれぞれ代入すると、Ｖk、Ｖk’はそれぞれ以下に示す式（７）および式（８）で表される。
【００５７】
【数７】
0003696229.tif 000008
【００５８】
【数８】
0003696229.tif 000009
【００５９】
また、受信部６において、電圧はＺRＩ2およびＺRＩ2’で表される。したがって、端子ｋ−ｋ’間の電圧ＶkおよびＶk’は、伝送線路１６および１７のＦパラメータと電流Ｉ2およびＩ2’とを用いて以下のように示すことができる。
【００６０】
【数９】
0003696229.tif 000010
【００６１】
【数１０】
0003696229.tif 000011
【００６２】
従って、式（7）および式（９）から以下の式（１１）が得られる。同様に、式（８）および式（１０）から以下の式（１２）が得られる。
【００６３】
【数１１】
0003696229.tif 000012
【００６４】
【数１２】
0003696229.tif 000013
【００６５】
式（１１）および式（１２）において、受信インピーダンスＺRがＺR＝０を満たすとき、式（１１）および式（１２）は以下の式（１３）および（１４）で表される。
【００６６】
【数１３】
0003696229.tif 000014
【００６７】
【数１４】
0003696229.tif 000015
【００６８】
式（１３）および式（１４）において、ＺS＝Ｂ/ＤでありＺS’＝Ｂ／Ａであならば、Ｉ2＝Ｉ2’となる。つまり、第１の超音波振動子１と第２の超音波振動子２との間で送受信を切り替えても、受信部３において受信する受信波に差異がないことを示している。
【００６９】
また、入力インピーダンスＺRがゼロ（ＺR＝０）である場合、式（３）および式（４）より、Ｚk＝Ｂ／Ｄであり、Ｚk’＝Ｂ/Ａとなる。上述の仮定から、この時、ＺS＝Ｚkであり、ＺS’＝Ｚk’となる。これは、送信部３の出力インピーダンスＺSまたはＺS’が、伝送線路１６または１７およびそれに接続された受信部６からなる系のインピーダンスＺkまたはＺk’と等しくなっていることを示している。つまり、送信部３の出力インピーダンスが第１の超音波振動子１および第２の超音波振動子２のインピーダンスと等しくなっている。
【００７０】
以上から明らかなように、第１の超音波振動子１および第２の超音波振動子２を用いて、流路１４を移動する流体の流量を計測する場合、受信部６の入力インピーダンスをゼロにして、送信部３の出力インピーダンスを第１の超音波振動子１および第２の超音波振動子２のインピーダンスと一致させる（マッチングさせる）ことによって、超音波振動子１から送信した超音波を超音波振動子２で受信したときの波形と超音波振動子２から送信した超音波を超音波振動子１で受信したときの波形とが一致する。
【００７１】
超音波振動子は、一般に図３に示すようなインピーダンス−周波数特性を備え、周波数によってインピーダンスが異なる。共振周波数ｆrにおいて、インピーダンス値は最低となる。このため、送信部３の出力インピーダンスを、すべての帯域において第１の超音波振動子１および第２の超音波振動子２のインピーダンスと一致させることは現実的には難しい。しかし、超音波振動子を送信器として用いる場合、共振周波数において超音波振動子を駆動させるため、送信部３の出力インピーダンスを第１の超音波振動子１および第２の超音波振動子２のインピーダンスと一致させるという条件は、送信部３の出力インピーダンスを第１の超音波振動子１および第２の超音波振動子２の共振周波数におけるインピーダンスに一致させることになる。
【００７２】
これらの条件は数式から導かれる理想的なものであり、これらの条件を満たすとき、最も高い本発明の効果が得られる。しかし、本発明の効果が得られるのはこの条件を完全に満たす時のみに限られるわけではなく、受信部６の入力インピーダンスが低い値であり、また、送信部３の出力インピーダンスが第１の超音波振動子１および第２の超音波振動子２の共振周波数におけるインピーダンスに近い値になっておればよい。また、実際の回路において、入力インピーダンスが完全にゼロとなることはない。
【００７３】
本願発明者の詳細な検討によれば、送信部３の出力インピーダンスが、第１の超音波振動子１または第２の超音波振動子２の共振周波数におけるインピーダンスの少なくとも１／２以上の値であり、受信部６の入力インピーダンスがおおよそ１００Ω以下であれば、超音波振動子１および第２の超音波振動子２の特性の違いに大きく影響されることなく、第１の超音波振動子１および第２の超音波振動子２のより受信される受信波が実質的に同一となる。受信部６の入力インピーダンスは、好ましくは、４０Ω以下であり、２０Ω以下であればより好ましい。また、送信部３の出力インピーダンスが第１の超音波振動子１または第２の超音波振動子２の共振周波数におけるインピーダンスのおよそ±２０％の値であり、受信部６の入力インピーダンスがおおよそ１０Ω以下であれば更に好ましい。
【００７４】
ここで、これらの入力インピーダンスおよび出力インピーダンスは、第１の超音波振動子１および第２の超音波振動子２からみた送信部側の出力インピーダンスおよび受信部側の入力インピーダンスを意味している。つまり、第１の超音波振動子１および第２の超音波振動子２と送信部３および受信部６との間に存在しうる配線抵抗や切り替え器等の抵抗も入力インピーダンスや出力インピーダンスに含まれる。
【００７５】
一般に、送信素子を送信部で駆動する場合、送信部の出力インピーダンスは低いほうが、送信素子に高い電圧が印加できるため好ましい。一方、受信素子で受信した信号を受信部で増幅する場合、受信素子で受信する信号の大きさにかかわらず安定して受信信号を検知、増幅するためには受信部の入力インピーダンスは大きい方が好ましい。このような理由により、従来の超音波流量計においては、受信部の入力インピーダンスは送信部の出力インピーダンスはよりも大きくなっていた。具体的には、受信部の入力インピーダンスは数十ＫΩから数百ＫΩに設定され、送信部の出力インピーダンスは、数十Ωから数百Ωに設定されていた。
【００７６】
これに対して、上述の条件では、受信部の入力インピーダンスを従来の値の１／１０００以下にする。超音波流量計の計測に用いられる典型的な特性（共振周波数および共振周波数におけるインピーダンス）を備えた超音波振動子を第１の超音波振動子１および第２の超音波振動子２として用いる場合には、受信部の入力インピーダンスは、送信部の出力インピーダンスとおおよそ等しいかまたは送信部の出力インピーダンスよりも小さくなる。受信部の入力インピーダンスが送信部の出力インピーダンスとおおよそ等しい場合、受信部の入力インピーダンスは従来の値の１／１０００程度にまで小さくなる。したがって、従来の超音波流量計に比べて十分受信部の入力インピーダンスは小さくなり、超音波振動子１および第２の超音波振動子２の特性の違いによる受信波の差異を小さくすることができる。そして、受信部の入力インピーダンスが送信部の出力インピーダンスより小さく、ゼロに近い値をとるほど、超音波振動子１および第２の超音波振動子２の特性の違いによる受信波の差異をより小さくすることができる。
【００７７】
以下、本発明による超音波流量計の好ましい実施形態を説明する。
【００７８】
（第１の実施形態）
図４は、本発明による超音波流量計の第１の実施形態を示すブロック図である。超音波流量計５１は、流体の流路１４中に超音波の伝播経路を形成するように配置される第１の超音波振動子１および第２の超音波振動子２と、送信部３と、整合部５と、受信部６とを備えている。
【００７９】
第１の超音波振動子１および第２の超音波振動子２は、それぞれが送信器および受信器として機能する。第１の超音波振動子１から送信された超音波は第２の超音波振動子２により受信され、第２の超音波振動子２から送信された超音波は第１の超音波振動子１により受信する。これら双方向の伝播路は、流路１４を流れる流体の流れる方向に対して角度θをなしている。角度θの大きさは、１０〜４０度の範囲内から選択される。
【００８０】
第１の超音波振動子１および第２の超音波振動子２としては、厚み振動モード、横すべり振動モード、縦振動モード等の振動モードにより、おおよそ２０ＫＨｚ以上の周波数で駆動され、超音波流量計として従来から使用される種々の超音波振動子を用いることができる。計測すべき流体の状態や種類、予測される流速などに応じて最適な周波数が適宜選択される。本実施形態では、例えば厚み振動モードで振動し、５００ＫＨｚの共振周波数をもつ超音波振動子が用いられる。共振周波数における抵抗値は１５０〜２００Ωである。
【００８１】
第１の超音波振動子１および第２の超音波振動子２は、切り替え部１２を介して整合部５へ接続されており、切り替え部１２による選択によって、第１の超音波振動子１および第２の超音波振動子２のどちらか一方が選択的に整合部５へ接続される。整合部５は送信部３に接続されており、送信部３と第１の超音波振動子１または第２の超音波振動子２とのインピーダンスを整合させるために送信部３の出力インピーダンスを調節する。
【００８２】
また、超音波流量計５１は、送信部３と整合部５との間に設けられた方向性結合器１５および方向性結合器１５に接続された反射波検知部４を更に備える。送信部３と第１の超音波振動子１または第２の超音波振動子２とのインピーダンスが整合していない場合、第１の超音波振動子１または第２の超音波振動子２へ送信される駆動信号は、インピーダンスの不整合によって第１の超音波振動子１または第２の超音波振動子２において反射され、送信部３へ戻ってくる。
【００８３】
方向性結合器１５は、この反射波を反射波検知部４へ導く。また、送信部３から第１の超音波振動子１または第２の超音波振動子２へ送信される駆動信号は、反射波検知部４へ導かないように構成されている。
【００８４】
第１の超音波振動子１および第２の超音波振動子２は、切り替え部１３を介して受信部６に接続される。第１の超音波振動子１または第２の超音波振動子２に到達した超音波は電気信号に変換され、受信信号が受信部６によって増幅される。受信部６における入力インピーダンスは、２０Ω以下であることが好ましく、第１の超音波振動子１または第２の超音波振動子２から受信部側を見たときの切り替え部１３を含む入力インピーダンスは４０Ω以下であることが好ましい。本実施形態では、受信部６の入力インピーダンスは、２Ωである。第１の超音波振動子１または第２の超音波振動子２に到達した超音波による電気信号が十分大きい場合には必ずしも受信部６は受信信号を増幅しなくてもよい。
【００８５】
整合部５に第１の超音波振動子１が接続されるときには、受信部６が第２の超音波振動子２に接続され、整合部５に第２の超音波振動子２が接続されるときには、受信部６が第１の超音波振動子１に接続されるよう切り替え部１２と切り替え部１３とは連動していることが好ましい。切り替え部１２および切り替え部１３は、トグルスイッチのような機械的なものであってもよいし、電子部等により構成されるものであってもよい。
【００８６】
受信部６によって増幅された受信信号は、ゼロクロス検知部７へ送られ、ゼロクロス検知部７において、受信信号が所定のレベルに達した直後のゼロクロスポイントが検知される。これにより、ゼロクロス検知信号が生成される。なお、受信部６とゼロクロス検知部７との間に受信信号から第１の超音波振動子１および第２の超音波振動子２の共振周波数成分のみを抽出するバンドパスフィルタを設けてもよい。
【００８７】
繰り返し部８は、ゼロクロス検知信号に基づいて、所定の時間遅らせたタイミングでトリガ信号を生成し、トリガ信号を送信部３へ出力する。送信部３は、トリガ信号に基づいて、第１の超音波振動子１または第２の超音波振動子を駆動する。
【００８８】
計時部９は、所定の回数、シングアラウンドを繰り返すのに要した時間を計測し、計測結果を流量算出部１１へ送る。反射波検知部４および整合部５を除く各部はマイコン等の演算装置によって制御される。
【００８９】
図５は、超音波流量計５１の送信部３、方向性結合器を含む反射波検出部４’、整合部５および受信部６の具体的な構成の一例を示す回路図である。図５に示すように、受信部６はオペアンプ６ａを含んでおり、オペアンプ６ａの出力は抵抗６ｂを用いて負帰還させている。また、オペアンプ６ａの反転入力端子は、抵抗を介さずに第１の超音波振動子１または第２の超音波振動へ接続される。このような構成によって、受信部６の入力インピーダンスを２Ωにすることができる。
【００９０】
反射波検出部４’は、コイル４ａおよび４ｂと方向性結合器とを含む。整合部５を介して第１の超音波振動子１または第２の超音波振動子２から戻ってきた反射波は、コイル４ａおよび４ｂによって検出され、その信号は定電圧ダイオード４ｄを介して検波出力端子４ｈから出力される。一方、送信部３から第１の超音波振動子１または第２の超音波振動子２へ送られる駆動信号も、コイル４ａおよび４ｂにより検知されるが、その信号は抵抗４ｃを介して接地される。このため、検波出力端子４ｈに駆動信号が出力されることはない。このように、反射波を検知するコイル４ａおよび４ｂは、方向性結合器によって整合部５と送信部３との間に挿入されている。
【００９１】
整合部５は、可変インダクタ５ａを含み、トリマ等を回転させることによってインダクタンスを変化させ、送信部３の出力インピーダンスを変化させることができる。
【００９２】
図５に示していないゼロクロス検知部７、繰り返し部８、計時部９および流量算出部１１には公知の構成を有するハードウエアあるいはソフトウエアを用いることができる。
【００９３】
次に、超音波流量計５１を用いて流体の流量を計測する手順を説明する。まず、図４に示すように切り替え部１２および１３を用いて、整合部５を第１の超音波振動子１へ接続し、受信部１３を第２の超音波振動子２へ接続する。
【００９４】
流量を計測する前に、送信部３の出力インピーダンスを第１の超音波振動子１の共振周波数におけるインピーダンスとマッチングさせる。このため、送信部３から駆動信号を発生させて第１の超音波振動子１から超音波を発生させる。この時、送信部３と第１の超音波振動子１とのインピーダンスが一致していないと、駆動信号の一部は、第１の超音波振動子１において反射され、反射波として整合部５へ戻ってくる。そして、反射波は方向性結合器１５を介して反射波検知部４へ導かれ、反射波検知部４によって検知される。反射波検知部４の検波出力端子４ｈにパワーメータなどを接続し、例えば反射波の電力値を計測する。送信部３と第１の超音波振動子１とのインピーダンス差が大きいほど反射波も大きくなり、反射波の電力値も大きくなる。また、送信部３の出力インピーダンスが第１の超音波振動子１の共振周波数におけるインピーダンスと完全に一致する場合には、電力値はゼロとなる。なお、反射波の大きさを示す情報として、電力値以外に定在波比や、リターンロスを反射波検知部４で検出してもよい。
【００９５】
計測によって得られた電力値に基づいて、整合部５の可変インピーダンス５ａを変化させ、送信部３の出力インピーダンスを第１の超音波振動子１の共振周波数におけるインピーダンスに近づける。そして、ふたたび第１の超音波振動子１から超音波を発生させ、反射波の電力値を計測し、得られた電力値に基づいて、整合部の可変インピーダンス５ａを調整する。この手順を繰り返し、反射波の電力値が所定の値、あるいは、電力値が所定の範囲内になるようにする。
【００９６】
上述したように、送信部３の出力インピーダンスは第１の超音波振動子１の共振周波数におけるインピーダンスの少なくとも１／２以上であることが好ましく、第１の超音波振動子１の共振周波数におけるインピーダンスの±２０％の値であることがより好ましい。したがって、送信部３の出力インピーダンスが第１の超音波振動子１の共振周波数におけるインピーダンスの１／２となるときの反射波の電力値、あるいは、送信部３の出力インピーダンスが第１の超音波振動子１の共振周波数におけるインピーダンスの±２０％の値になるときの反射波の電力値の範囲を求めておき、これらの値や範囲を上記調整の目標値とすればよい。
【００９７】
このように送信部３の出力インピーダンスを調整したあと、流量の計測を行う。図４および図６に示すように、トリガ信号２１を送信部３に入力し、駆動信号を生成させ、第１の超音波振動子１から超音波を発生させる。流路１４を伝播した超音波は、第２の超音波振動子２によって受信され、受信部６によって受信信号２２として検知される。ゼロクロス検知部７では、受信信号２２が所定のレベルに達した直後のゼロクロスポイントが検知され、ゼロクロス検知信号が生成される。繰り返し部８は、ゼロクロス検知信号に基づいて、所定の遅延時間２３を経た後にトリガ信号２１’を生成し、送信部３へトリガ信号２１’を出力する。これにより、シングアラウンドの１ループを構成する。
【００９８】
所定の回数（例えば５０〜１０００回）、シングアラウンドを繰り返した後、計時部９は、ループを繰り返すのに要した全時間２４を計測し、計測結果を流量算出部１１へ送る。全時間２４をシングアラウンド回数で除し、その値から遅延時間２３を引いた値が、式（１）に示すｔ１となる。
【００９９】
次に、切り替え部１２および１３を用いて、整合部５を第２の超音波振動子２へ接続し、受信部３を第１の超音波振動子１へ接続する。そして上述の手順と同様、整合部５を用いて、送信部３の出力インピーダンスを第２の超音波振動子２の共振周波数におけるインピーダンスとマッチングさせる。
【０１００】
送信部３の出力インピーダンスを調整した後、上述の手順と同様の手順により、第２の超音波振動子２から超音波を発生させ、第１の超音波振動子１で超音波を受信する。所定の回数、シングアラウンドを繰り返した後、計時部９は、ループを繰り返すのに要した全時間２４を計測し、計測結果を流量算出部１１へ送る。全時間２４をシングアラウンド回数で除し、その値から遅延時間２３を引いた値が、式（１）に示すｔ２となる。
【０１０１】
式（２）に、ｔ１およびｔ２の値と角度θを代入することによって、流体の流速Ｖが求まる。更に流路１４の断面積をＳとすれば、流量ＱはＶ×Ｓによって求めることができる。この流量Ｑは、単位時間あたりに流体が移動する量であり、流量Ｑを積分することによって流体の量を求めることができる。
【０１０２】
図７は、超音波流量計５１において、流体を静止させ、第１の超音波振動子１から送信した超音波を第２の超音波振動子２で受信したときの波形２８と第２の超音波振動子２から送信した超音波を第１の超音波振動子１で受信したときの波形２９とを示している。上述したように、第１の超音波振動子１から超音波を送信する時には、整合部５を用いて、送信部３の出力インピーダンスを第１の超音波振動子１の共振周波数におけるインイピーダンスにマッチングさせ、第２の超音波振動子２から超音波を送信する時には、整合部５を用いて、送信部３の出力インピーダンスを第２の超音波振動子２の共振周波数におけるインイピーダンスにマッチングさせている。図７に示すように、波形２８および波形２９は完全に一致している。このため、波形２８のゼロクロスポイント２８ａおよび波形２９のゼロクロスポイント２９ａが一致している。
【０１０３】
このように本実施形態によれば、送信部３の出力インピーダンスを第１の超音波振動子１および第２の超音波振動子２の共振周波数におけるインピーダンスとマッチングさせ、受信部６の入力インピーダンスを低くすることにより、第１の超音波振動子１および第２の超音波振動子２の特性の違いによる受信波の差異を小さくすることができ、特性の差異に基づく計測誤差を小さくすることができる。
【０１０４】
また、送信部３の出力インピーダンスを第１の超音波振動子１および第２の超音波振動子２の共振周波数におけるインピーダンスとマッチングさせることによって、駆動信号を効率よく超音波振動子へ伝播させることができる。さらに、インピーダンスの不整合により、切り替え部１２および１３において、反射波が受信側へ漏れて、検知すべき受信信号に悪影響を与え、検出誤差を引き起こすという問題の発生を防ぐことができる。
【０１０５】
なお、上記実施形態では、第２の超音波振動子２を送信器として用いる場合にも送信部３と第２の超音波振動子２とのインピーダンスを整合させていた。しかし、この操作を省略し、第２の超音波振動子２を送信器として用い計測を行う場にも、送信部３は第１の超音波振動子１に対してマッチングする出力インピーダンスを備えたままであってもよい。なぜなら、受信部６の入力インピーダンスを低くし、送信部３の出力インピーダンスを第１の超音波振動子１の共振周波数におけるインピーダンスとおよそ一致させることによって、第１の超音波振動子１、第２の超音波振動子２、送信部３および受信部６を含む部分全体が、第１の超音波振動子１と第２の超音波振動子２との特性の差異による影響を受け難いように調整されるからである。特に、第１の超音波振動子１と第２の超音波振動子２として、複数の超音波振動子から特性がよく一致している一対の超音波振動子を選んでいる場合には、２回目のインピーダンス整合操作は省略してもよい。
【０１０６】
本実施形態の超音波流量計によれば、超音波振動子の特性のばらつきにもかかわらず、広い流量範囲において、高い精度で流体の流量を計測することができる。しかし、超音波の周波数に対して流体の流速があまりにも大きい場合、媒質の音響インピーダンスの不平衡による第１の超音波振動子１から第２の超音波振動子２へ伝播する超音波の周波数と、第２の超音波振動子２から第１の超音波振動子１へ伝播する超音波の周波数との差異が計測に誤差を与える可能性がある。つまり、図８（ａ）および（ｂ）に示すように、第１の超音波振動子１から第２の超音波振動子２へ伝播する超音波２６において、振幅がゼロクロスする点の間隔Ａ、Ｂ、Ｃ、Ｄと第２の超音波振動子２から第１の超音波振動子１へ伝播する超音波２７において、振幅がゼロクロスする点の間隔Ａ’、Ｂ’、Ｃ’、Ｄ’との間隔がそれぞれ一致しなくなる。
【０１０７】
このような場合には、ゼロクロスポイントを複数設定し、各ゼロクロスポイントにおけるｔ１およびｔ２をそれぞれ求める。そして、各ゼロクロスポイントを用いて求めた伝播時間差の差異にあらかじめ記憶している流量係数を乗じ、補正した流速Ｖ’を求め、流路の断面積Ｓを掛けて流量を求める。このように流量の補正を行うことによって、流速が大きい場合であっても正確な流量を求めることができる。
【０１０８】
また、上記実施形態では反射波検知部４を用いて送信部３の出力インピーダンスを調整した。しかし、あらかじめ第１の超音波振動子１および第２の超音波振動子２の厚み振動の共振周波数におけるインピーダンスを求めておき、そのインピーダンスと整合するように整合部５を調整してもよい。
【０１０９】
（第２の実施形態）
図９は、本発明による超音波流量計の第２の実施形態を示すブロック図である。超音波流量計５２は、送信部３の出力インピーダンスを調整する整合部を２つ備えている点で第１の実施形態の超音波流量計５１と異なっている。
【０１１０】
具体的には、超音波流量計５２は、第１の整合部５Ａおよび第２の整合部５Ｂを備えている。第１の整合部５Ａおよび第２の整合部５Ｂは、切り替え部１２と第１の超音波振動子１および第２の超音波振動子２との間にそれぞれ挿入されている。
【０１１１】
本実施形態の超音波流量計５２によれば、送信部３と第１の超音波振動子１とのインピーダンスの整合には、第１の整合部５Ａが用いられ、送信部３と第２の超音波振動子２とのインピーダンスの整合には、第２の整合部５Ｂが用いられる。このため、切り替え部１２によって第１の超音波振動子１または第２の超音波振動子２が選択されるたびに、送信部３の出力インピーダンスを調整する必要がなくなる。例えば、第１の超音波振動子１および第２の超音波振動子２の共振周波数におけるインピーダンスが経時変化を起こさない場合には、一度、送信部３と第１の超音波振動子１とのインピーダンスが整合するよう第１の整合部５Ａを調整し、送信部３と第２の超音波振動子２とのインピーダンスが整合するよう第２の整合部５Ｂを調整するだけで、高い精度で流量計測を行うことができる。
【０１１２】
（第３の実施形態）
図１０は、本発明による超音波流量計の第３の実施形態の主要部を示すブロック図である。本実施形態の超音波流量計は、反射波検知部４によって検知した反射波に関する情報に基づいて整合部５を自動的に制御する制御部３０を備えている点で第１の実施形態の超音波流量計とは異なっている。
【０１１３】
制御部３０は、ＡＤ変換部３１、ピーク検知部３２、判定部３３および可変部３４を含んでいる。ＡＤ変換部３１は、反射波検知部４によって検知した反射波に関する信号をデジタル信号に変換する。変換されたデジタル信号は、ピーク検知部３１によって、そのピーク値が検知される。判定部３３は、記憶している直前のピーク値と最新のピーク値とを比較し、比較値に基づいて、反射波が小さくなるような制御信号を可変部３４へ出力する。可変部３４は、制御信号に基づいて整合部５のインピーダンスを変化させる。ＡＤ変換部３１、ピーク検知部３２および判定部３３は超音波流量計の他の部分を全体として制御するマイコンなどの制御装置３５によって構成することができる。
【０１１４】
制御部３０によって整合部５を調整するタイミングは、超音波流量計の用途や要求される計測の精度に応じて適宜定めることができる。高い計測精度が求められる場合には、制御部３０によって常時整合部５を調整するように超音波流量計を構成してもよい。第１の超音波振動子１および第２の超音波振動子２の特性に変化が生じうると考えられる間隔にあわせて、制御部３０により、整合部５を調整してもよい。
【０１１５】
本実施形態によれば、第１の超音波振動子１および第２の超音波振動子２と送信部３とのインピーダンスの整合を自動的に行うことができるので、計測精度が高く、信頼性も高い超音波流量計を実現することができる。特に、流量を計測する環境の温度変化が激しい場合や、長期間にわたって超音波流量計を設置して流量を計測する場合にも計測精度に高い信頼性のおける超音波流量計を実現することができる。
【０１１６】
なお、本実施形態では、第１の実施形態の超音波流量計５１に制御部３０を設けた例を説明したが、第２の実施形態の超音波流量計５２に制御部３０を設けてもよい。
【０１１７】
（第４の実施形態）
以下、本発明の超音波流量計を備えたガスメータを説明する。
【０１１８】
図１１は、配管６０内を流れるガスの流量を計測するためのガスメータ５５のブロック図を示している。配管６０内を流れるガスは、天然ガスやプロパンガスなど一般家庭で用いられるもののほか、水素や酸素等、その他の気体であってもよい。
【０１１９】
ガスメータ５５は、配管６０内を流れるガスの流量を計測するための超音波流量計５６と、緊急時に配管６０を流れるガスを遮断する遮断弁５７と、超音波流量計５６および遮断弁５７を制御するマイコンなどの制御装置５８と、超音波流量計５６を用いて計測した流量や流量の積算値およびその他の情報を表示する表示部５９とを備える。
【０１２０】
本実施形態の超音波流量計５６には、第３の実施形態の超音波流量計を用いる。第３の実施形態について説明したように、超音波流量計５６は、整合部を自動的に制御する制御部を備える。この制御部は、マイコン５８の機能を用いて構成される。制御部によって整合部を調整するタイミングは、用途に応じて適宜定めることが出きる。高い計測精度が求められる場合には、制御部によって常時整合部を調整するように超音波流量計を構成してもよい。１日の気温の変化によって、計測精度に影響が生じる場合には、１ないし数時間毎に整合部を調整してもよい。
【０１２１】
超音波流量計５６によって計測される流量に関するデータは、マイコン５８で処理されて表示部５９に表示される。また、マイコン５８は、計測する流量に異常がないかを監視する。例えば、突然、大流量のガスが流れ始めた場合には、ガス漏れが生じていると判断して、遮断弁５７を動作させ、ガスの供給を停止する。
【０１２２】
このように、本実施形態によれば、計測精度が高く信頼性も高いガスメータを実現することができる。特に、ガスメータは屋外に設置されることが多いため、一日の気温差や、季節の変化による１日の平均気温差による影響を受けやすいが、本発明のガスメータは、このような温度変化に影響されず、精度の高い計測を行うことができる。
【産業上の利用可能性】
【０１２３】
本発明の超音波流量計によれば、２つの超音波振動子の特性の違いに基づく受信波の差異を小さくすることができ、特性の差異に基づく計測誤差を小さくすることができる。したがって、高い精度で流量を計測することができる。
【図面の簡単な説明】
【０１２４】
【図１】（ａ）は本発明の超音波流量計の原理を説明するブロック図であり、（ｂ）は（ａ）の部分を四端子回路網で示した図である。
【図２】（ａ）は本発明の超音波流量計の原理を説明するブロック図であり、（ｂ）は（ａ）の部分を四端子回路網で示した図である。
【図３】本発明で用いる超音波振動子の電気的特性を示すインピーダンス曲線図である。
【図４】本発明の超音波流量計の第１の実施形態を示すブロック図である。
【図５】図４に示す部分の主要部の具体的な構成を示す回路図である。
【図６】シングアラウンド法による計測を説明する図である。
【図７】本発明の超音波流量計において、流体が静止している場合に第１の超音波振動子および第２の超音波振動子が受信した信号の波形を示している。
【図８】（ａ）および（ｂ）は、大流量時における受信波形を示している。
【図９】本発明の超音波流量計の第２の実施形態を示すブロック図である。
【図１０】本発明の超音波流量計の第３の実施形態であって、主要部を示すブロック図である。
【図１１】本発明の第４の実施形態であるガスメータを示すブロック図である。
【図１２】従来の超音波流量計を示すブロック図である。
【図１３】従来の超音波流量計において生じる受信波形の差異を示す図である。
【図１４】従来の超音波流量計の特性の変化の温度依存性を示すグラフである。
【符号の説明】
【０１２５】
１  第１の超音波振動子
２  第２の超音波振動子
３  送信部
４  反射波検出部
５  整合部
６  受信部
７  ゼロクロス検知部
８  繰り返し部
９  計時部
１０、１２、１３  切り替え部
１１  流量算出部
１４  流路
【図１】
0003696229.tif 000016
【図２】
0003696229.tif 000017
【図３】
0003696229.tif 000018
【図４】
0003696229.tif 000019
【図５】
0003696229.tif 000020
【図６】
0003696229.tif 000021
【図７】
0003696229.tif 000022
【図８】
0003696229.tif 000023
【図９】
0003696229.tif 000024
【図１０】
0003696229.tif 000025
【図１１】
0003696229.tif 000026
【図１２】
0003696229.tif 000027
【図１３】
0003696229.tif 000028
【図１４】
0003696229.tif 000029